(57)【要約】【課題】  円筒形のケーシングと、円柱体を基本としたローターとから構成した流体圧ポンプにおいて、ローター側に設けられた、空間仕切り部を１箇所備えただけのローターで構成したシンプルな流体圧ポンプは従来の型式には存在しない。【解決手段】  円筒体の半径方向の互いに反対側の２箇所に軸を支点に揺動動作を行う空間分割器具を備えたケーシングと、両端に支軸を備えた円柱体の外周面上の１箇所にケーシング内周面との摺接部を有する突起体を備え、さらに、２箇所の支軸端面からそれぞれ円柱体内部を通過し、摺接部の前後に開口位置を有する独立した２種類の通気孔を備えたローターとからシンプルな流体圧ポンプを構成する。【選択図】  図３
2010163982.tif 000002
【特許請求の範囲】
【請求項１】
ケーシングとローターとから構成された流体圧ポンプにおいて、厚肉円筒体の半径方向の、互いに反対側の２箇所に、空間分割器具として、バネの弾力により内部へ揺動する、厚肉円筒体の肉厚内部に中心を備え、且つ該厚肉円筒体の内周面に開口部を有する孔形の軸受けと、該開口部に連結した凹部を内周面に備え、該凹部に没入し、内周面の一部を形成する曲面板の片側曲面端に、前記開口部を有する孔形の軸受けで把持される軸と、もう一方の曲面端に流体遮断器具として軸付き板を備えた軸付き曲面板を形成し、軸付き板側をローターの反回転方向に向けて配置したケーシングと、両端に支軸を有する円柱体の外周面上の１箇所に、空間仕切り部として、該円柱体の外周面から傾斜面を形成して立ち上がり、頂上に前記ケーシングの内周面との摺接部を有し、該摺接部を過ぎて急な段差部を形成して円柱体外周面に到る突起体を備え、さらに、流体吸入孔として、一方の支軸端面から円柱体内部を通過し、段差部付近の円柱体外周面に開口位置を有する通気孔と、流体吐出孔として、もう一方の駆動軸となる支軸端面から円柱体内部を通過し、傾斜面の立ち上げ箇所に開口位置を有する通気孔との２種類のそれぞれ独立した通気孔と、傾斜面に、該傾斜面の立ち上げ箇所から摺接部に到達するまでの溝を備えたローターを形成し、前記ケーシングの中心と、該ローターの軸心を一致して配置し構成した事を特徴とする流体圧ポンプ。
【請求項２】
軸付き曲面板の軸の一方の端側に突起を備え、さらに、軸付き曲面板の軸位置と反対側の曲面板の先端に開口部を有する孔形の軸受けを設け、板材の一端に軸を備えた流体遮断器具としての軸付き板の該軸を、前記軸受けで把持する事で、２つの構成要素から成る軸付き曲面板を形成し、さらに、該２つの構成要素から成る軸付き曲面板の該軸を把持するケーシング内周面に開口部を有する孔形の軸受けに、該開口部と反対側にさらに開口部を設け、該開口部を通じて連結した、バネと前記軸の突起を収納する空室を付加した２箇所に開口部を有する孔形の軸受けを形成し、前記２つの構成要素から成る軸付き曲面板の該軸を、２箇所に開口部を有する孔形の軸受けで把持し形成した空間分割器具を配置した事を特徴とする請求項１の流体圧ポンプ。
【請求項３】
一方の支軸端面の開口部から流体吸入口としての通気孔を有するローター支軸を、該支軸端面との間にわずかな空隙を形成して軸支する軸受けと、該空隙と通気経路を連結した吸入口を備えたケーシング密閉用の蓋と、流体吐出孔としての通気孔を有するローター駆動軸となるもう一方の支軸を軸支する軸受けを備えたケーシング密閉用の蓋と共に、該蓋を貫通して外部へ突出している駆動軸をさらに軸支しながら、軸端面の開口部を栓で密封された駆動軸内部の通気孔と通気経路を連結した該駆動軸の横孔と、外部への吐出口との通気経路を仲介する空室を形成する、前記吐出口を備えたサイドケースとから構成した事を特徴とする請求項１、または請求項２の流体圧ポンプ。
【発明の詳細な説明】
【技術分野】
【０００１】
本発明は流体圧を利用したポンプに関する。さらに詳しくは、円筒体に２箇所の空間分割器具を備えたケーシングと、円柱体外周面上に、該ケーシングの内周面との摺接部を有する突起体を１箇所備えただけのローターとから構成したシンプルな流体圧ポンプに関する。
【背景技術】
【０００２】
従来技術として、液圧を利用した連続回転軸装置は、液圧によって、軸を回転させる装置において、密閉容器内に、自由に旋動する仕切弁を設け、この仕切弁と、軸に設けた受圧面とによって仕切られた受圧室を、軸の回転により順次型成させることにより、連続的に軸を回転させる装置について述べられ（例えば、特許文献１参照）、また、流体圧を利用した回転装置においては、包囲ジャケット内に回転子を有し、これらの間に空間が画定され、この空間が回転子とジャケットとの間の空間にのびた二つ又はそれ以上の分割装置によって副分割されている回転装置において、分割装置が上記ジャケットに装着され、そして上記回転子に摺動可能に且つ密封的に係合して、それらの間に多数の作用空間を形成し、回転子および上記ジャケットが上記作用空間の容積を連続して変化させるように形成されていることを特徴とする回転装置について述べられている（例えば、特許文献２参照）。
【先行技術文献】
【特許文献】
【０００３】
【特許文献１】特開昭５１−１９２４６号公報
【特許文献２】特表昭６１−５００３２４号公報
【発明の概要】
【発明が解決しようとする課題】
【０００４】
円筒形のケーシングと、両端に支軸を有する円柱体を基本としたローターとから構成した流体を扱うポンプにおいて、ローター側に設けられた空間の仕切り部、例えば、歯車ポンプの歯車の歯、ベーンポンプのベーン体等、仕切り部を１個、あるいは１箇所に備えて構成した流体圧ポンプは存在しない。特許文献１に示す連続回転軸装置は、液圧を利用して回転を得る、即ち流体圧モーターとしてのみ発明が構成され、その上、実質的に摺接箇所が２箇所、即ち、仕切り部は２箇所である。
【０００５】
本発明においては、円筒体の内周面側に備えた軸受けに軸を把持され、曲面板の先端が内部へ揺動する空間分割器具としての軸付き曲面板を、該円筒体の半径方向の、互いに反対側の２箇所に備えたケーシングと、両端に支軸を有する円柱体の外周面上に、空間仕切り部として、前記ケーシングの内周面との摺接部を有する突起体を１箇所だけ有し、さらに、流体の吸入孔、及び吐出孔として、２箇所の支軸端面からそれぞれ円柱体内部を通過して、突起体の摺接部の前後に開口位置を有する２種類の独立した通気孔を備えたローターとを形成し、前記ケーシングの中心と、該ローターの軸心を一致して配置し構成した事を特徴とするシンプルな流体圧ポンプを提供する事を目的とする。
【課題を解決するための手段】
【０００６】
請求項１においては、ケーシングとローターとから構成された流体圧ポンプにおいて、厚肉円筒体の半径方向の互いに反対側の２箇所に、空間分割器具として、バネの弾力により内部へ揺動する、厚肉円筒体の肉厚内部に中心を備え、且つ該厚肉円筒体の内周面に開口部を有する孔形の軸受けと、該開口部に連結した凹部を内周面に備え、該凹部に没入し、内周面の一部を形成する曲面板の片側曲面端に、前記開口部を有する孔形の軸受けで把持される軸と、もう一方の曲面端に流体遮断器具として、軸を支点に板材の先端がわずかに揺動可能な軸付き板を備えた軸付き曲面板を形成し、曲面板の軸付き板側をローターの反回転方向に向けて配置したケーシングと、両端に支軸を有する円柱体の外周面上の１箇所に、空間仕切り部として、該円柱体の外周面から傾斜面を形成して立ち上がり、頂上に前記ケーシングの内周面との摺接部を有し、該摺接部を過ぎて急な段差部を形成して円柱体外周面に到る突起体を備え、さらに、流体吸入孔として、一方の支軸端面から円柱体内部を通過し、段差部付近の円柱体外周面に開口位置を有する通気孔と、流体吐出孔として、もう一方の駆動軸となる支軸端面から円柱体内部を通過し、傾斜面の立ち上げ箇所に開口位置を有する通気孔との２種類のそれぞれ独立した通気孔と、傾斜面に、該傾斜面の立ち上げ箇所から摺接部に到達するまでの溝を備えたローターを形成し、前記ケーシングの中心と、該ローターの軸心を一致して配置し構成した事を特徴としている。
【０００７】
請求項２の流体圧ポンプにおける空間分割器具は、軸付き曲面板の軸の一方の端側に突起を備え、さらに、軸付き曲面板の軸位置と反対側の該曲面板の先端に開口部を有する孔形の軸受けを設け、板材の一端に軸を備えた流体遮断器具としての軸付き板の該軸を、前記軸受けで把持する事で、２つの構成要素から成る軸付き曲面板を形成し、さらに、該２つの構成要素から成る軸付き曲面板の該軸を把持するケーシング内周面に開口部を有する孔形の軸受けに、該開口部と反対側にさらに開口部を設け、該開口部を通じて連結した、バネと前記軸の突起を収納する空室を付加した、２箇所に開口部を有する孔形の軸受けとを形成し、前記２つの構成要素から成る軸付き曲面板の該軸を、該２箇所に開口部を有する孔形の軸受けで把持した構成としている。
【０００８】
請求項３の流体圧ポンプは、一方の支軸端面の開口部から流体吸入孔としての通気孔を有するローター支軸を、該支軸端面との間にわずかな空隙を形成して軸支する軸受けと、該空隙と通気経路を連結した吸入口を備えたケーシング密閉用の蓋と、流体吐出孔としての通気孔を有するローター駆動軸となるもう一方の支軸を軸支する軸受けを備えたケーシング密閉用の蓋と共に、該蓋を貫通して外部へ突出している駆動軸をさらに軸支しながら、軸端面の開口部を栓で密封された駆動軸内部の通気孔と通気経路を連結した該駆動軸の横孔と、外部への吐出口との通気経路を仲介する空室を形成する、前記吐出口を備えたサイドケースとから構成している。
【０００９】
請求項１に示す流体圧ポンプの作用について説明すると、２箇所に配置された空間分割器具としての軸付き曲面板は、バネの弾力を受け、ケーシング側の軸受けに把持された軸を支点に内部へ揺動し、常時少なくとも１箇所の軸付き曲面板がローターを形成する円柱体外周面部分に曲面板先端の流体遮断器具を接触させる。ケーシング内周面から揺動し、先端部である流体遮断器具を円柱体外周面に接触し、作動したばかりの１箇所の軸付き曲面板と突起体の傾斜面との間に形成された密封空間の流体を吐出孔を通じて排出するとすれば、ローターは１／２回転以上に回転する必要があるが、厚肉円筒体の半径方向の、互いに反対側の２箇所に軸付き曲面板が配置されているので、該軸付き曲面板はローターが１／２回転する毎に作動し、作動する毎に、軸付き曲面板と突起体の傾斜面との間に形成される密封空間が、かわるがわる変化しながらも継続して維持され続ける事になり、ローターに回転駆動力を与える事により、圧力流体が連続して吐出される。
【００１０】
請求項２に示す流体圧ポンプの作用について説明すると、曲面板の先端に軸を支点として揺動する、流体遮断器具としての軸付き板を備えた２つの構成要素から成る軸付き曲面板は、軸の突起の片面からバネの作用を受け開口部の開口の範囲内で該軸は回転移動し、バネの配置位置と反対側の軸の突起面が空室を形成する壁面に突き当たる事で停止し、この状態で流体遮断器具の軸付き板部分を除く前記軸付き曲面板の先端はローターを形成する円柱体外周面からわずかな間隔をおいて停止する。該わずかな間隔内において、軸付き板がわずかに揺動して板材の先端が円柱体外周面に接触し流体の密封作用を達成する。
【００１１】
請求項３に示す流体圧ポンプの作用について説明すると、蓋側の流体吸入口とローター支軸端面の開口部との間に設けた空隙によって、回転しているローター内部の吸入孔に流体を供給する事ができ、蓋とサイドケースとによって形成した空室内に駆動軸の横孔位置を設定する事で、回転しているローター内部から吐出される流体を該空室と流体経路を連結しているサイドケースに配置した吐出口に導く事ができる。
【発明の効果】
【００１２】
請求項１の流体圧ポンプの効果について説明すると、バネの弾力により円筒体内周面から、軸を支点に内部へ揺動動作をする空間分割器具としての軸付き曲面板を２箇所に備えた円筒形のケーシングと、両端に支軸を備えた円柱体の外周面上に、空間仕切り部として前記ケーシングの内周面との摺接部を有する突起体を１箇所だけ備え、さらに、２箇所の支軸端面から円柱体内部を通過し、摺接部の前後にそれぞれ開口位置を有する２種類の独立した通気孔を流体の吸入孔、及び吐出孔として備えたローターとからシンプルな流体圧ポンプを構成している。
【００１３】
流体遮断器具も備えず、揺動範囲も限定されない軸付き曲面板は、該曲面板の先端をバネの弾力により揺動してローターの外周面に接触させるが、さらにローターが回転駆動され自ら発生した流体圧力の作用を曲面板の面積で受ける事になり、該曲面板の先端がローターの外周面を強く押し付けローターの回転抵抗となる。曲面板の先端にさらに、軸を支点にわずかに揺動する小面積の軸付き板を設ける事によって、ローターが回転する事で自ら発生した高圧流体の作用を、揺動範囲を限定した軸付き板部を除く面積の大きな軸付き曲面板と小面積の軸付き板との２要素に分散し、前記回転抵抗を軽減すると共に、小面積の軸付き板による流体の密封作用も達成できる。
【００１４】
ケーシング、ケーシング密閉用の２枚の蓋、及びサイドケースを固定部とすれば、ローターは回転部である。固定部側から回転部側へ流体を供給し、また回転部側から固定部側に流体を排出させる場合、回転部と固定部との間の流体経路を連結する空隙、あるいは空室はシンプルな仲介部として機能する。
【図面の簡単な説明】
【００１５】
【図１】本発明の実施例１に係る流体圧ポンプの正面図である。
【図２】本発明の実施例１に係る流体圧ポンプの側面図である。
【図３】本発明の実施例１に係るケーシング１とローター１４を示す正面図である。
【図４】本発明の実施例１に係る図１のＹ−Ｐ−Ｙ’線断面図で示す流体圧ポンプである。
【図５】本発明の実施例１に係るローター１４の斜視図である。
【図６】本発明の実施例１に係るローター１４の斜視図である。
【図７】本発明の実施例１に係る軸付き板１２の分解斜視図である。
【図８】本発明の実施例１に係る流体圧ポンプの分解斜視図である。
【図９】流体圧ポンプの動作説明図である。
【図１０】流体圧ポンプの動作説明図である。
【図１１】流体圧ポンプの動作説明図である。
【図１２】流体圧ポンプの動作説明図である。
【発明を実施するための形態】
【００１６】
以下、本発明の実施の形態について詳細に説明すると、２箇所に配置した空間分割器具としての揺動動作を行う軸付き曲面板を備えたケーシングと、両端に支軸を備えた円柱体の外周面上の１箇所に、前記ケーシングの内周面との摺接部を有し、さらに、２箇所の支軸端面からそれぞれ円柱体内部を通過し該摺接部の前後に開口位置を有する２つの通気孔を備えたローターとから流体圧ポンプを構成するが、空間分割器具としての軸付き曲面板は、受圧面積の大きい部材と小さい部材、即ち流体遮断器具の２構成要素から形成し、ローターを駆動回転させる事で、自ら発生する流体圧力を分散しながら密封作用も達成し、さらに、回転するローターにケーシング、蓋、サイドケースといった外側を形成する固定部から流体を吸入させ、また吐出させるため、ローターの両軸端面との間に空隙、あるいは空室を備えただけのシンプルな流体圧ポンプを構成する事を目的としている。
【００１７】
本発明においては、実施例１を図１から図８として示し、流体圧ポンプ、２構成要素から成る軸付き曲面板、そして流体の吸入、吐出に係わる流体経路の通気孔等についての構成上の特徴を、そして流体圧ポンプの動作、及び作用を図９から図１２に示して説明する。
【実施例１】
【００１８】
図３、及び図８に示すように、厚肉円筒体の半径方向の、互いに反対側の２箇所に、空間分割器具として、スプリング１３の弾力により内部へ揺動する、厚肉円筒体の肉厚内部に中心を備え、且つ該厚肉円筒体の内周面に開口部を有する孔形の軸受け３と、該開口部に連結した凹部４を内周面に備え、該凹部４に没入し、内周面の一部を形成する曲面板８の片側曲面端に、前記開口部を有する孔形の軸受け３で把持される軸６と、もう一方の曲面端に図７に示す流体遮断器具としての軸付き板１２を備えた軸付き曲面板５を形成し、該軸付き板１２の板１１の先端をローター１４の反回転方向に向けて配置したケーシング１と、図４、図５及び図６に示すように、両端に支軸１５，１６を有する円柱体の外周面上の１箇所に、空間仕切り部として、該円柱体の外周面から傾斜面を形成して立ち上がり、頂上に前記ケーシング１の内周面との摺接部１８を有し、該摺接部を過ぎて急な段差部１９を形成して円柱体外周面に到る突起体１７を備え、さらに、流体吸入孔として、一方の支軸１６端面から円柱体内部を孔Ｂ，Ｃで通過し、段差部１９付近の円柱体外周面に開口部Ｓを有する通気孔と、流体吐出孔として、もう一方の駆動軸となる支軸１５端面から円柱体内部を孔Ｅ，Ｄで通過し、傾斜面の立ち上げ箇所に開口部Ｒを有する通気孔との２種類のそれぞれ独立した通気孔と、傾斜面に、該傾斜面の立ち上げ箇所から摺接部１８に到達するまでの溝２０を備えたローター１４を形成し、前記ケーシング１の中心と、該ローター１４の軸心を一致して配置し流体圧ポンプを構成する。
【００１９】
図７、図８に示すように、軸付き曲面板５の軸６の一方の端側に突起７を備え、さらに、軸付き曲面板５の軸６位置と反対側の曲面板８の先端に開口部を有する孔形の軸受け９を設け、板材１１の一端に軸１０を備えた流体遮断器具としての軸付き板１２の該軸１０を、前記軸受け９で把持する事で、２つの構成要素から成る軸付き曲面板５を形成し、さらに、該２構成要素から成る軸付き曲面板５の該軸６を把持するケーシング１内周面に開口部を有する孔形の軸受け３に、該開口部と反対側にさらに開口部を設け、該開口部を通じて連結した、スプリング１３と前記軸６の突起７を収納する空室２を付加した２箇所に開口部を有する孔形の軸受けを形成し、前記２つの構成要素から成る軸付き曲面板５の該軸６を、２箇所に開口部を有する孔形の軸受け３で把持し形成した空間分割器具を流体圧ポンプに配置している。
【００２０】
図４及び図８に示すように、一方の支軸１６の端面の開口部Ｈから流体吸入孔としての孔Ｂを有するローター支軸１６を、該支軸１６の端面Ｈとの間にわずかな空隙Ａを形成して軸支する軸受け２３と、該空隙Ａと通気経路を連結した吸入口２４を備えたケーシング１密閉用の蓋２２と、流体吐出孔としての通気孔を有するローターの駆動軸となるもう一方の支軸１５を軸支する軸受け２６を備えたケーシング１密閉用の蓋２５と共に、該蓋２５を貫通して外部へ突出している駆動軸１５をさらに軸受け２８で軸支しながら、支軸１５の端面の開口部Ｔをプラグ２１で密封した駆動軸１５内部の孔Ｅと通気経路を連結した該駆動軸１５の横孔Ｆと、外部への吐出口２９との通気経路を仲介する空室Ｇを形成する、前記吐出口２９を備えたサイドケース２７とから構成している。
【００２１】
図９〜図１２までの流体圧ポンプの動作説明図に基づき作用を説明すると、２箇所に配置された空間分割器具としての軸付き曲面板５ａ、５ｂは、スプリング１３の弾力を受け、ケーシング１側の軸受け３に把持された軸６を支点に内部へ揺動し、常時、少なくとも１箇所の軸付き曲面板５がローターを形成する円柱体外周面部分に該軸付き曲面板５を形成している流体遮断器具としての軸付き板１２の該板材１１の先端を接触させる。図９から図１２までの動作を順に説明すると、図９においては、ローター１４の突起体１７の摺接部１８が、凹部４に没入しケーシング１の内周面を形成している軸付き曲面板５ａの箇所を通過しようとしている。軸付き曲面板５ｂは作動し突起体１７の傾斜面との間の密封空間内の流体は、ローターの回転に従って開口部Ｒから通気孔Ｄを通過し、最終的に外部へ吐出され、流体吸入側では、ローターの回転に従って通気孔Ｃの開口部Ｓから段差部と軸付き曲面板５ｂとの間の空間に供給される。図１０においては、突起体１７の摺接部１８が軸付き曲面板５ａの配置箇所を通過し終えると該軸付き曲面板５ａはスプリング１３からの作用を受け直ちに揺動する。摺接部前後の流体の吸入、及び吐出については、前記の状態を継続している。図１１においては、２箇所の軸付き曲面板５ａ、５ｂが作動しているが図１１の状態からわずかにローター１４の回転が進むと、空間密封には軸付き曲面板５ａのみが有効となる。図１２においては、軸付き曲面板５ｂの位置が傾斜面の溝２０上に移動すると、摺接部１８と該軸付き曲面板５ｂ、及び傾斜面とで囲まれた空間の流体は溝２０を通過して吐出孔側の開口部Ｒに到り、またローターが回転する事により発生する流体圧力は軸付き曲面板５ｂの該曲面板８の裏面と表面とが共に同じ圧力となり、軸付き曲面板５ｂを凹部４に没入させる抵抗力は、スプリング１３の反発力による作用だけとなる。
【００２２】
図７、及び図８に示すように、空間分割器具としての軸付き曲面板５ａ、５ｂは曲面板８の先端に、流体遮断器具として、軸付き板１２を備え、該軸付き板は、曲面板８側の軸受け９に軸１０を把持され、該軸１０を支点としてわずかに揺動できる板材１１を備えている。軸６の突起７の片面からスプリング１３の作用を受けて回転移動し、スプリング１３の配置位置と反対側の突起７の面が空室２を形成する壁面に突き当たる事で、軸付き曲面板５の揺動動作は停止し、この状態で軸付き板１２を除く軸付き曲面板５の曲面板８の先端は、ローターを形成する円柱体外周面からわずかな間隔をおいて停止する。該間隔内で軸付き板１２が揺動して板材１１の先端が円柱体外周面に接触し密封作用を行う。
【００２３】
図４に示すように、蓋２２に設けた流体吸入口２４と、ローター１４支軸端面の開口部Ｈとの間に設けた空隙Ａによって、回転しているローター内部の吸入孔を形成する孔Ｂに流体を供給し、蓋２５とサイドケース２７とによって形成した空室Ｇ内に駆動軸１５の横孔Ｆ位置を設定する事で、回転しているローター内部から吐出される流体を、該空室Ｇと通気経路を連結しているサイドケース２７に配置した吐出口２９に導く事ができる。
【００２４】
本明細書の中で使用された用語の意味、及び用語の定義について説明を加えておくと、
請求項１記載の、内周面の一部を形成する曲面板とは、曲面板は厚肉円筒体の内径と同一内径の薄肉円筒体の外周を等分し、該薄肉円筒体を薄肉円筒体の中心線と平行に切断して得られる曲面板とする事で、該曲面板が厚肉円筒体の凹部に没入して該厚肉円筒体の内周面の一部を形成する。
流体遮断器具とは、軸付き曲面板の軸位置と反対側の曲面端に設けた開口部を有する孔形の軸受けに軸を把持され、該軸を支点に僅かに揺動可能な軸付き板を示し、その作用は、軸付き板の該板の先端が揺動し、ローター外周面に接触する事で流体の密封作用を果たす。
空間分割器具としての軸付き曲面板５は、２つの構成要素から成る軸付きの曲面板であり、１構成要素として、軸６と曲面板８から成る部材であり、もう１構成要素として、突起７と、流体遮断器具、即ち曲面板８の先端に備えた開口部を有する軸受け９に把持される軸１０と板１１から形成された軸付き板１２等から成る部材を言う。
空間仕切り部としての突起体の摺接部は１箇所である。
請求項３記載の、空室は、蓋とサイドケースとを重ね合わせる事で形成し、該空室内に駆動軸の横孔が位置し、さらに該空室がサイドケースに備えた流体吐出口と通気経路が連結している事を示す。
軸付き曲面板の該曲面板の先端はローターの反回転方向に向けて配置されるが、曲面端に備えた流体遮断器具としての軸付き板の該板の先端もローターの反回転方向を向きながらわずかな揺動動作が可能である。
流体遮断器具としての軸付き板に替えて板バネ等の弾性体を配置しても良い。
【産業上の利用可能性】
【００２５】
本発明における流体圧ポンプは、流体圧モーターとしても利用の可能性があり、既存の流体を扱う回転機械が利用されている産業分野において、ポンプとしてもモーターとしても利用できる。
【符号の説明】
【００２６】
１    ケーシング
２    空室
３    軸受け
４    凹部
５ａ  軸付き曲面板
５ｂ  軸付き曲面板
６    軸
７    突起
８    曲面板
９    軸受け
１０    軸
１１    板材
１２    軸付き板
１３    スプリング
１４    ローター
１５    支軸（駆動軸）
１６    支軸
１７    突起体
１８    摺接部
１９    段差部
２０    溝
２１    プラグ（栓）
２２    蓋
２３    軸受け
２４    吸入口
２５    蓋
２６    軸受け
２７    サイドケース
２８    軸受け
２９    吐出口
Ａ    空室
Ｂ    孔
Ｃ    孔
Ｄ    孔
Ｅ    孔
Ｆ    駆動軸１５の横孔
Ｇ    空室
Ｈ    支軸１６の端面
Ｔ    駆動軸１５の端面
Ｒ    孔Ｄの開口部
Ｓ    孔Ｃの開口部
Ｐ    ケーシング中心、ローター軸心
Ｍ    回転方向
【図１】
2010163982.tif 000003
【図２】
2010163982.tif 000004
【図３】
2010163982.tif 000005
【図４】
2010163982.tif 000006
【図５】
2010163982.tif 000007
【図６】
2010163982.tif 000008
【図７】
2010163982.tif 000009
【図８】
2010163982.tif 000010
【図９】
2010163982.tif 000011
【図１０】
2010163982.tif 000012
【図１１】
2010163982.tif 000013
【図１２】
2010163982.tif 000014